(57)【要約】【課題】全体のコンパクト化を図ることができ、かつ通路パネルを簡単に設置することができる通信装置用収容箱を提供する。【解決手段】通信装置用収容箱１０は収容箱本体１と、収容箱本体１の底面１ａに設けられた通信装置５を支持する架台６と、架台６間に張り渡された通路パネル１２とを有している。底面１ａと通路パネル１２および架台６との間に床下空間１２ａが形成されている。この床下空間１２ａ内にバッテリー９およびケーブル２１が収納されている。【選択図】  図３
2004296822.tif 000002
【特許請求の範囲】
【請求項１】
通信装置、バッテリーおよびケーブルを収容する通信装置用収容箱において、
収容箱本体と、
収容箱本体の底面に配置され、通信装置を支持する架台と、
架台間に張渡された通路パネルとを備え、
収容箱本体の底面と、架台および通路パネルとの間に床下空間が形成され、この床下空間にバッテリーおよびケーブルが配置されていることを特徴とする通信装置用収容箱。
【請求項２】
収容箱本体に、空調機が設置されていることを特徴とする請求項１記載の通信装置用収容箱。
【請求項３】
収容箱本体に、床下空間に連通するダクトが設けられ、このダクトに収容箱本体内へ空気を排出するファンが設けられていることを特徴とする請求項１記載の通信装置用収容箱。
【請求項４】
通路パネルに通気口が設けられていることを特徴とする請求項１記載の通信装置用収容箱。
【発明の詳細な説明】
【０００１】
【発明の属する技術分野】
本発明は通信装置、バッテリーおよびケーブルを収容する通信装置用収容箱に係り、とりわけコンパクトに通信装置等を収容することができる通信装置用収容箱に関する。
【０００２】
【従来の技術】
従来より、通信装置およびバッテリーを収容する通信装置収容箱が知られている。通信装置収容箱は、通信装置およびバッテリーを収容する収容箱本体を有している。
【０００３】
通信装置は、通常高さ１７００ｍｍ程度の搭載ケースと、この搭載ケース内に積層状に高密度に搭載された電子装置とを有し、搭載ケースは収容箱本体内の構造床部分に複数配列している。
【０００４】
バッテリーは重量密度が大きく、かつバッテリー設置規準に定められた換気性、保守点検の容易性などの条件を満たすため、収納箱本体の構造床部分に配置されている。
【０００５】
ところで通信装置は稼動により発熱し、通信装置へ電力を供給するバッテリーも発熱する。これら通信装置とバッテリーとを冷却するため、収容箱本体内に空調機が設けられている。
【０００６】
空調機は収容箱本体の天上部に設けられ、この空調機の一側から収容箱本体内へ冷風を吹き出し、他側から収容箱本体内の温風を吸い込むようにし、収容箱本体内の空気を循環させている。この空気の循環により収容箱本体内には空気の澱みがなく、このことによりバッテリーの保安上の必要条件を満足している。
【０００７】
【発明が解決しようとする課題】
ところで、最近の通信回線の収容量の増加にともない、通信装置およびバッテリーが大型化してきている。また通信装置とバッテリー間のケーブルも大型化しており、収容箱本体が大型化しているのが実情である。
【０００８】
本発明はこのような点を考慮してなされたものであり、全体のコンパクト化および小型化を図ることができる通信装置用収納箱を提供することを目的とする。
【０００９】
【課題を解決するための手段】
本発明は、通信装置、バッテリーおよびケーブルを収容する通信装置用収容箱において、収容箱本体と、収容箱本体の底面に配置され、通信装置を支持する架台と、架台間に張渡された通路パネルとを備え、収容箱本体の底面と架台および通路パネルとの間に床下空間が形成され、この床下空間にバッテリーおよびケーブルが配置されていることを特徴とする通信装置用収容箱である。
【００１０】
本発明は、収容箱本体に、空調機が設置されていることを特徴とする通信装置用収容箱である。
【００１１】
本発明は、収容箱本体に、床下空間に連通するダクトが設けられ、このダクトに収容箱本体内へ空気を排出するファンが設けられていることを特徴とする通信装置用収容箱である。
【００１２】
本発明は、通路パネルに通気口が設けられていることを特徴とする通信装置用収容箱である。
【００１３】
【発明の実施の形態】
第１の実施の形態
以下、図面を参照して本発明の実施の形態について説明する。
【００１４】
図１乃至図５は本発明による通信装置用収容箱の第１の実施の形態を示す図である。
【００１５】
図１乃至図３に示すように、通信装置用収容箱１０は収容箱本体１と、この収容箱本体１内に配置され、リレー、メモリ、電子装置等の通信装置５を支持する架台６と、架台６間に張渡された通路パネル１２とを備えている。
【００１６】
このうち収容箱本体１は箱状６面体をなし、底面１ａと、上面１ｂと、４つの側面１ｃとからなっている。また一方の側面１ｃには出入口２が設けられ、この出入口２には扉３が設置されている。
【００１７】
また架台６は収容箱本体１の底面１ａ上に配置され、この底面１ａと架台６および通路パネル１２との間に床下空間１２ａが形成されている。この床下空間１２ａ内には、バッテリー９および通信装置５とバッテリー９とを連結するケーブル２１が配置されている。
【００１８】
また通路パネル１２には通気口１２ｂが設けられている。さらに通路パネル１２には床下空間１２ａと連通する一対の垂直ダクト７が接続されている。各垂直ダクト７は収容箱本体１内の側面１ｃに沿って上下方向に延び、また垂直ダクト７の上部には、垂直ダクト７内の温風を収容箱本体１内へ送るファン８が取付けられている。
【００１９】
さらに収容箱本体１の上面１ｂには、空調機４が設置されている。そして空調機４により供給される冷気が収容箱本体１内へ送られて通信装置５を冷却するとともに、室内を循環する一部の冷気は通路パネル１２の上部から通気口１２ｂを介して床下空間１２ａ内へ入るようになっている。
【００２０】
その後冷気は、床下空間１２ａ内のバッテリー９を冷却した後、垂直ダクト７を通ってファン８により収容箱本体１内へ戻されるようになっている。
【００２１】
次に図４および図５により通信装置５を支持する架台６について述べる。架台６はＺ形状の鋼製枠体６ａと、この枠体６ａに溶接あるいはネジ止めで一体化された平板６ｂと、枠体６ａに沿って一定間隔をおいて配置された補強板６ｃとを有している。
【００２２】
架台６の下方には床下空間１２ａが形成され、架台６の上側に通信装置５が配置される。
この場合、通信装置５は下方において平板６ｂに載置されるとともに平板６ｂに固定され、上方において収容箱本体１の上面１ｂに枠体２５，２６を介して固定されている。このため、通信装置５を架台６上に堅固に固定することができる。
【００２３】
また、架台６の平板６ｂ間に通路パネル１２が張り渡されており、架台６および通路パネル１２の下方に形成された床下空間１２ａ内に、上述のようにバッテリー９およびケーブル２１が配置される。バッテリー９は枠体６ａにクッションゴム２０を介して当接し、バッテリー９の枠体６ａの反対側は、クッションゴム２０ａを介して固定金具１１により固定されている。
【００２４】
以上本実施の形態によれば、収容箱本体１の底面１ａと、架台６および通路パネル１２との間に形成された床下空間１２ａ内に、バッテリー９とケーブル２１とを収納することができるので、収容箱本体１の内部空間を有効利用することができる。
【００２５】
また空調機４からの冷気を通路パネル１２の通気口１２ｂから床下空間１２ａ内に送り、さらに垂直ダクト７からファン８を介して収容箱本体１内へ循環させることができるため、床下空間１２ａ内に配置されたバッテリー９を確実に冷却することができる。
【００２６】
さらに、通路パネル１２は通信装置５を支持する架台６間に張り渡されるため、通路パネル１２を設置するために特別の架台を設ける必要はなく、また通路パネル１２のレベリングも容易となる。
【００２７】
第２の実施の形態
次に図６および図７により本発明の第２の実施の形態について説明する。図６および図７に示す第２の実施の形態は、架台６の構造が異なるとともに、垂直ダクト７およびファン８が取除かれているが、他は図１乃至図５に示す第１の実施の形態と略同一である。
【００２８】
図６および図７において、図１乃至図５に示す第１の実施の形態と同一部分には同一符号を付して詳細な説明は省略する。
【００２９】
図６および図７において、通信装置５は広い底面を有し、通信装置５は下方部のみで架台６により保持されている。
【００３０】
すなわち、架台６は矩形状の安定した枠体６ｄと、枠体６ｄ上に設けられた架台パネル１３とを有し、架台パネル１３は枠体６ｄにボルト１３ｂにより固定されている。
【００３１】
枠体６ｄ上の架台パネル１３は、通信装置５から延びるケーブル２１を通過させるためのケーブル開口１３ａを有し、この架台パネル１３上に通信装置５が配置固定されている。
【００３２】
また収容箱本体１の底面１ｂと架台６との間の床下空間１２内に、バッテリー９が収納されている。
【００３３】
架台６の枠体６ｄ内には、十文字状の枠１４が設けられており、この枠１４上にバッテリー９が載置されている。
【００３４】
この場合、複数のバッテリー９が組合わされ、組合わされた複数のバッテリー９は、上下に設けられた保持枠１５，１５により一体に形成されている。そして保持枠１５，１５により一体となった複数のバッテリー９が架台６の枠体６ｄ内に収納され、枠１４上に載置固定される。
【００３５】
なお、架台６の枠体６ｄの側部にはＬ字状型材１７が取付けられており、この型材１７上に通気口１２ｂを有する通路パネル１２が載置固定されるようになっている。
【００３６】
なお、通信装置５からケーブル開口１３ａを介して下方へ延びるケーブル２１は、収容箱本体１の底面１ｂに固定金具２２によって固定されている。
【００３７】
図７に示すように、収容箱本体１内において、通信装置５を支持する架台６が配置されており、この架台６内にバッテリー９が収納されている。
【００３８】
本実施の形態によれば、架台６上に通信装置５を安定して配置することができ、かつ架台６の下方の床下空間１２ａ内に、バッテリー９とケーブル２１を配置することができ、全体のコンパクト化を図ることができる。また架台６の型材１７上に通路パネル１２を載置固定することにより、通路パネル１２を設置するため、特別の架台を設ける必要はなく、また通路パネルのレベリングを容易に行なうことができる。
【００３９】
【発明の効果】
以上説明したように本発明によれば、底面と、架台および通路パネルとの間の床下空間内にバッテリーとケーブルを配置することができ、通信装置用収容箱全体のコンパクト化を図ることができる。また架台間に通路パネルを張り渡すことにより、通路パネルを設置するために特別の架台を設ける必要はなく、さらに通路パネルのレベリングを容易に行なうことができる。
【図面の簡単な説明】
【図１】本発明による通信装置用収容箱の第１の実施の形態を示す斜視図。
【図２】通信装置用収容箱を示す平面図。
【図３】通信装置用収容箱を示す側面図。
【図４】通信装置用収容箱の架台を示す斜視図。
【図５】通信装置用収容箱の架台を示す拡大側面図。
【図６】本発明による通信装置用収容箱の第２の実施の形態を示す斜視図。
【図７】通信装置用収容箱を示す平面図。
【符号の説明】
１  収容箱本体
１ａ  底面
１ｂ  上面
１ｃ  側面
２  出入口
３  扉
４  空調機
５  通信装置
６  架台
７  垂直ダクト
８  ファン
９  バッテリー
１０  通信装置用収容箱
１２  通路パネル
１２ａ  床下空間
１２ｂ  通気口
１３  架台パネル
１４  枠
１５  保持枠
２１  ケーブル
【図１】
2004296822.tif 000003
【図２】
2004296822.tif 000004
【図３】
2004296822.tif 000005
【図４】
2004296822.tif 000006
【図５】
2004296822.tif 000007
【図６】
2004296822.tif 000008
【図７】
2004296822.tif 000009